(57)【特許請求の範囲】
【請求項１】
押鍵された和音入力に対し、該和音を分散させて出力可能な分散和音出力装置において、
時系列的に割り当てられた各ステップ毎に、前記押鍵された和音を構成する各音程のそれぞれに対応して設けられた各音程ビットに対して割り当てられた１ビットの情報と、当該ステップにおける出力音の強さを示す強さ設定指数と、当該ステップにおける出力音の長さを示す長さ設定指数とを記憶するパターンメモリを有し、
前記パターンメモリに記憶された前記１ビットの情報に割り当てられた音程ビットに対応する音程を、当該ステップにおける強さ設定指数が示す強さおよび長さ設定指数が示す長さで前記ステップ順に繰り返して出力することを特徴とする分散和音出力装置。
【発明の詳細な説明】
【０００１】
【発明の属する技術分野】
本発明は、複数の鍵盤を同時に押鍵することにより入力される和音に対して、分散和音を自動的に出力する分散和音出力装置に関する。
【０００２】
【従来の技術】
一般に、シンセサイザ等の鍵盤楽器においては、分散和音（アルペジオ）を繰り返して自動的に出力する機能、いわゆるアルペジエータ機能を有するものが多くなっている。例えば、鍵盤楽器に配列された鍵盤のうち「ド、ミ、ソ、シ」を同時に押鍵すると、通常は、「ド、ミ、ソ、シ」の和音が出力されるが、アルペジエータ機能を選択しておくと、一定の間隔で、「ド」「ミ」「ソ」「シ」の各単音が順次繰り返しながら出力される。つまり、図５に示す如くの旋律が連続して出力されることになる。
【０００３】
また、図５では、アルペジオの出力パターンが昇順、即ち、低い音程から高い音程に順次切り替わるように設定されているが、これとは反対に降順に設定することや、ランダムな順序で設定することもできる。つまり、降順の場合には、シ、ソ、ミ、ドの順で出力され、ランダムな順序に設定した場合には、例えば、ド、ソ、ミ、シ等の順でアルペジオを出力させることも可能である。
【０００４】
【発明が解決しようとする課題】
しかしながら、上記した従来における分散和音出力装置においては、アルペジオの出力順序の変更は可能であるものの、単音しか出力させることができず、出力パターン中に複音（２以上の単音からなる合成音）や和音（押鍵した和音自身）を設定することができなかった。このため、出力パターンの設定の幅が狭く、より幅の広い出力パターンを設定可能な分散和音出力装置の発明が望まれていた。
【０００５】
この発明はこのような従来の課題を解決するためになされたものであり、その目的とするところは、単音のみならず、出力パターンに複音を設定することのできる分散和音出力装置を提供することにある。
【０００６】
【課題を解決するための手段】
上記目的を達成するため、本願請求項１に記載の発明は、押鍵された和音入力に対し、該和音を分散させて出力可能な分散和音出力装置において、時系列的に割り当てられた各ステップ毎に、前記押鍵された和音を構成する各音程のそれぞれに対応して設けられた各音程ビットに対して割り当てられた１ビットの情報と、当該ステップにおける出力音の強さを示す強さ設定指数と、当該ステップにおける出力音の長さを示す長さ設定指数とを記憶するパターンメモリを有し、前記パターンメモリに記憶された前記１ビットの情報に割り当てられた音程ビットに対応する音程を、当該ステップにおける強さ設定指数が示す強さおよび長さ設定指数が示す長さで前記ステップ順に繰り返して出力することが特徴である。
【０００８】
上述の如く構成された発明によれば、パターンメモリ内の各ステップに、各音程のそれぞれに対応して設けられた各音程ビットに対して割り当てられた１ビットの情報を予め書き込んでおけば、和音を入力した後に自動的にパターンメモリ内に記憶された内容に従って楽音が出力されるので、１ビットの情報に割り当てられた音程ビットに対応する各音程により、幅の広い分散和音の出力が可能となる。また、強さ設定指数を調整することができるので、この数値を大きく設定すればアクセントになり、反対にゼロに設定すれば休符となるので、好みに応じた出力パターンの設定が可能となる。更に、長さ設定指数を調整することができるので、この数値を小さく設定すればスタッカートになり、大きく設定すればテヌートとすることができる。
【０００９】
【発明の実施の形態】
以下、本発明の実施形態を図面に基づいて説明する。図１は、本発明の一実施形態に係る分散和音出力装置のハードウェア構成を示す説明図であり、図示のように、この分散和音出力装置は、押鍵された鍵盤１の情報を読み取るキースキャナー２と、制御中枢となるＣＰＵ３と、システムプログラムが記憶されるＲＯＭ４と、データの読み出し、書き込みを行うＲＡＭ５と、時間設定を行うタイマ６と、パターンメモリ７、及びＣＰＵ３からの指令により実際に楽音信号を出力する音源８と、により構成されている。
【００１０】
パターンメモリ７は、図２に示す如くのマトリクス状の記憶パターンを有しており、複数の音程ビット（この場合は８個）につき、複数ステップ（この場合は８ステップ）が対応し、それぞれに１ビットづつが割り当てられている。また、各ステップ毎に出力音の強さを示す指数（０〜１００）及び長さを示す指数（１〜１００）が設定されている。
【００１１】
次に、上記の如く構成された本実施形態の動作について説明すると、まず、楽器演奏者は好みに応じて予めパターンメモリ７内部のデータを設定する。図２に示した例では音程ビット０から音程ビット３までの、４つの音程についてのみデータが存在するので４音の和音入力を想定している。ここで、例えば、演奏者が「ド、ミ、ソ、シ」の鍵盤を同時に押鍵すると、音程ビット０に「ド」、音程ビット１に「ミ」、音程ビット２に「ソ」、そして音程ビット３に「シ」がそれぞれ割り当てられ、ステップ１〜８の順で時系列的に楽音情報が出力されることになる。
【００１２】
より具体的に説明すると、ステップ１では音程ビット０がのみが「１」とされ、他は全て「０」であるから「ド」の単音が選択され、また、強さが８０、長さが８０に設定されているので、この強さ、長さに応じた「ド」の音が出力されることになる。同様に、ステップ２では「ミ」、ステップ３では「ソ」、ステップ４では「シ」がそれぞれ単音で出力され、ステップ５では音程ビット０及び音程ビット１が共に「１」とされているので、「ド」と「ミ」の複音が選択されることになり、また、長さ１０とされているので非常に短い時間だけ、この複音が出力されることになる。つまり、「ド、ミ」の複音をスタッカートで出力することになる。
【００１３】
次いで、ステップ６では「ミ、ソ」が選択されているので、この複音が出力されることなるが、強さが０に設定されているので、出力はされない。即ち、休符状態となる。ステップ７では、「ソ、シ」の複音が選択されており、また、長さが１００（最大値）となっているので、「ソ、シ」の和音がテヌートで出力されることになる。ステップ８では、「ド、ミ、ソ、シ」の全てが選択されており、また強さが１００（最大値）とされているので、「ド、ミ、ソ、シ」の和音をアクセントで出力することになる。
【００１４】
そして、上記のように設定された楽音を音符記号で記載すると、図３に示す如くとなり、この旋律を順次繰り返して楽音情報を出力することになる。つまり、図２に示した如くのデータをパターンメモリ７の内部に記憶させておけば、演奏者は「ド、ミ、ソ、シ」の和音を押鍵するという簡単な操作により図３に示す如くの旋律を順次繰り返す楽音を出力させることができるようになる。
【００１５】
また、図２に示した情報は、実際には図４に示すようにパターンメモリ７内部に一連のデータとして記憶されている。なお、図４中で、「ｈ」は１６進数を示し「ｂ」は２進数を示している。
【００１６】
このようにして、本実施形態によれば、押鍵された和音入力から分散和音を出力する際に、単音のみならず２以上の単音を組み合わせた複音、及び押鍵された和音自身をも出力パターンに設定することができるので、演奏の幅が著しく広がり、演奏者の好みに応じた楽音を容易に設定して出力させることができるようになる。また、発音の強さ、発音の長さを任意に設定することにより、スタッカート、休符、テヌート、アクセント等の設定も可能となり、より広範囲な設定が可能となる。
【００１７】
なお、上記実施形態では、和音入力として「ド、ミ、ソ、シ」の４音からなるものを例に示したが、これは４音に限定されるものでは無く、図２に示した音程ビットの数（この場合は８）分だけ設定することができる。また、図２の例ではステップ数を８としたが、本発明はこれに限定されるものでは無く、８未満でも８以上でも良いものであり、演奏者の好みに応じて任意に設定することができる。
【００１８】
【発明の効果】
以上説明したように、本発明の分散和音出力装置では、押鍵された和音入力にたいし、和音を構成する単音のみならず、２以上の単音を組み合わせた複音についても設定することができるので、出力パターンの設定の幅が広がり、演奏者の好みに合った出力パターンを容易に設定することができる。更に、各ステップ毎に発音の強さ、発音の長さを設定することができるので、スタッカート、休符、テヌート、アクセント等の情報を任意に設定することができ、より一層幅の広い出力パターンの設定が可能となる。
【図面の簡単な説明】
【図１】本発明の一実施形態に係る分散和音出力装置のハードウェア構成を示す説明図。
【図２】パターンメモリ内にマトリクス状に記憶された情報を示す説明図。
【図３】図２に示された出力パターンにより得られる楽音の譜面を示す説明図。
【図４】パターンメモリ内に実際に記憶されるデータ形式を示す説明図。
【図５】従来におけるアルペジオ出力の楽譜の例を示す説明図。
【符号の説明】
１  鍵盤
２  キースキャナー
３  ＣＰＵ
４  ＲＯＭ
５  ＲＡＭ
６  タイマ
７  パターンメモリ
８  音源
【図１】
0003671105.tif 000002
【図２】
0003671105.tif 000003
【図３】
0003671105.tif 000004
【図４】
0003671105.tif 000005
【図５】
0003671105.tif 000006